(57)【要約】      （修正有）【課題】自作用ジャンプ傘の安全装置を提供する。【解決手段】ジャンプ傘は、傘骨体と石突１２、留め具１３、露先１４などの付属部品とからなる自作用キットが販売されており、購入者が傘布２０を用意すれば、オリジナルなジャンプ傘を作ることができる。傘骨体は、中棒１に親骨を連結した上ロクロと、受骨を連結した中ロクロとバネを介して設けた下ロクロを摺動可能に設け、中棒１の下端に手元１１を設けるとともに、その付近に下ハジキと押し釦を設けたもので、傘布２０が取り付けられてないので、押し釦を操作すると勢いよく拡開する。ジャンプ傘ができ上がる間は傘骨体を閉じたまま製作するようにし、傘骨体が拡開しないように、傘骨体の外周を切断しなければ外せない結束帯で締結したもの。【選択図】図５
0003223655.tif 000002
【実用新案登録請求の範囲】
【請求項１】
下端に手元、上端側に上ロクロが取り付けられ、該手元と上ロクロの間に摺動可能に取り付けられた中ロクロ及び下ロクロと、中ロクロと下ロクロの間に設けたバネと手元近傍に下ハジキと押し釦が組み込まれた中棒と、該上ロクロに取り付けられた親骨と、一端を中ロクロに他端を該親骨に連結された受骨と、一端を下ロクロに他端を受骨に連結された引棒とからなる傘骨体と、該中棒の先端に取り付けられる石突および留め具と、親骨の先端に取り付けられる露先と、傘布に縫い付けられる巻紐の止め具を含む付属部品とからなる自作用ジャンプ傘のキットにおいて、傘布が取り付けられるまで、該傘骨体を閉じた状態に保持するため、切断しないと外せない帯状の結束帯で手元側の親骨外周を締結したことを特徴とする自作用ジャンプ傘の安全装置。
【考案の詳細な説明】
【技術分野】
【０００１】
本考案は、自作用のキットでジャンプ傘を製作する場合の安全装置に関する。
【背景技術】
【０００２】
種々のデザインの傘が販売されているが、営業上ある程度の量を作る必要から大半は似たようなデザインの傘になっている。そこで、近年は、中棒に傘骨を組み付けた傘骨体と、傘布を取り付けるための石突、留め具、露先などの傘部品をセットにした自作用の傘キットが販売されている。
この傘キットは、手開き傘の他自動開き傘（ジャンプ傘）もあり、傘布を自作するための型紙および説明書が添付されており、顧客がこれを購入し、傘布にする布を用意すれば、オリジナルな傘を作ることができる。
【０００３】
ジャンプ傘のキットの傘骨体は、図１に示すように、中棒１の上端近くに親骨２を連結した上ロクロ６が取り付けられ、その下方に受骨３を連結した中ロクロ７と引棒４を連結した下ロクロ８がバネ５を介して摺動可能に設けられている。そして、中棒１の下端には手元１１が取り付けられ、その近傍には下ハジキ９と押し釦１０が設けられている。
この傘骨体は、傘布２０が取り付けられてないので、押し釦１０を操作すると勢いよく拡開する。
【０００４】
ジャンプ傘は、閉じたときは、傘布を傘骨に巻き付け帯状の巻紐で締結できるようにしているが、巻紐が締結されてない状態で、押し釦１０に不用意に触れるなどして、突然拡開することによる事故例が多々報告されている。
これを防止するため、例えば、手元に露先に係止する円環状の止具を設け（特許文献１参照）たものが知られている。
【０００５】
特許文献１の円環状の止具は、手元上端に軸方向に移動可能な筒状体を設け、収束した親骨の先端の露先をその内部に入れて保持するようにしたもので、筒状体はネジで移動するようにしている。
【先行技術文献】
【特許文献】
【０００６】
【特許文献１】実開平０４−９１２０
【考案の概要】
【考案が解決しようとする課題】
【０００７】
ジャンプ傘のキットの傘骨体は、傘を閉じたときは下ロクロに下ハジキが係止して閉じた状態を保持しているが、押し釦を操作したときは、傘布が取り付けられてないので、バネの付勢力が大きく勢いよく拡開する。キットでの製作中は、傘骨に触ることが多く、危険性が少なくない。突然の拡開に十分注意をしながら作業をしなければならないという難点もある。
なお、上記巻紐による締結は、傘布が付設されてない状態では使用できない。また、特許文献１の円環状の止具は、ネジで移動させるので傘骨の保持が確実であるが露先が付いていない製作途中の状態では機能しない。
【０００８】
本考案は、上記の点に鑑み開発されたものであり、自作用のジャンプ傘のキットを用いてオリジナルなジャンプ傘を安全に作ることができる安全装置を提供することを目的としている。
【課題を解決するための手段】
【０００９】
上記の目的を解決するため、本考案の自作用ジャンプ傘の安全装置は、次のように構成した。すなわち、下端に手元、上端側に上ロクロが取り付けられ、該手元と上ロクロの間に摺動可能に取り付けられた中ロクロ及び下ロクロと、中ロクロと下ロクロの間に設けたバネと手元近傍に下ハジキと押し釦が組み込まれた中棒と、該上ロクロに取り付けられた親骨と、一端を中ロクロに他端を該親骨に連結された受骨と、一端を下ロクロに他端を受骨に連結された引棒とからなる傘骨体と、該中棒の先端に取り付けられる石突および留め具と、親骨の先端に取り付けられる露先と、傘布に縫い付けられる巻紐の止め具を含む付属部品とからなる自作用ジャンプ傘のキットにおいて、傘布が取り付けられるまで、該傘骨体を閉じた状態に保持するため、切断しないと外せない帯状の結束帯で手元側の親骨外周を締結したことを特徴としている。
【００１０】
本考案は、自作用ジャンプ傘のキットを用いてオリジナル傘の製作中に、不用意に傘骨体が拡開することを防止するもので、傘布が取り付けられるまでは傘骨体を閉じた状態で製作するように製作手順を説明書に明記し、傘骨体の手元付近の傘骨外周を切断しないと外せない結束帯で締結したものである。
自作用キットには、傘布は含まれておらず、キットの購入者が用意する。また、傘布にデザインを合わせる必要のある天丸、菊座、巻紐も購入者が用意することになっている。なお、傘布を裁断するための型紙と、製作の説明書は添付されている。
【００１１】
結束帯は、傘骨体が拡開しないように締結するもので、簡単には外せないものが良く、ゴムのように劣化すると伸びきってしまったり切れるものものは、好ましくない。
また、締結状態で傘布を取り付けるので、邪魔にならない帯状のものが望ましい。
具体的には、電線を束ねる合成樹脂製の結束バンドは断面が平たくて一度締結すると切断しないと外せないので、望ましいが、これに限るものではない。例えば、紐を重ねて縛り、取り外す場合は切断するようにしたものでもよい。
【００１２】
傘布が取り付けられていても、押し釦が不用意に押されると拡開するが、傘布がない場合のように急激ではなく、傘布に取り付けられた巻紐で固定することもできる。
傘骨体を結束帯で締結した状態で製作する場合、傘骨体に傘布を取り付ける作業が傘骨体を拡開して行う場合に比べ若干難しいが、これを行うことにより、安全が確保される。そのため、結束帯は簡単には外せないようにしている。
【考案の効果】
【００１３】
本考案の自作用ジャンプ傘の安全装置は、傘骨体と石突、留め具、露先、巻紐用止め具などの付属部品とからなる自作用のジャンプ傘のキットにおいて、傘骨体手元側の親骨外周を結束帯で締結し、製作は傘を閉じた状態でほぼ完成させるようにしたので、不用意に押し釦に触っても傘が拡開することがなく、安全に製作できる。
【図面の簡単な説明】
【００１４】
【図１】ジャンプ傘の傘骨体の拡開状態を示す正面図である。
【図２】同、自作用のジャンプ傘のキットを示し、（ａ）は傘骨体、（ｂ）は石突、（ｃ）は留め具、（ｄ）は露先、（ｅ）はボタンである。
【図３】同、（ａ）は傘布用の型紙、（ｂ）は天丸、菊座、傘布、巻紐である。
【図４】同、結束帯を示す斜視図である。
【図５】同、（ａ）は傘骨体を結束帯で締結し、傘布が取り付けられた状態を示し、（ｂ）は巻紐を止めた状態を示す斜視図である。
【考案を実施するための形態】
【００１５】
本考案の自作用ジャンプ傘の安全装置の実施の形態を、図１〜図５に基づいて説明する。
図１は、ジャンプ傘の傘骨体１Ａの拡開した状態を示す。図２は自作用のジャンプ傘のキットを示すもので、傘骨体１Ａと、付属部品の石突１２と、留め具１３と、露先１４と、ボタン１５である。図３は、傘布用の型紙２４と、傘布２０と、これに取り付けられる部品で天丸２１と、菊座２２と、巻紐２３である。図４は、結束帯３０を示し、図５は、傘骨体１Ａを結束帯３０で締結し、傘布２０を取り付けた状態を示している。
【００１６】
自作用ジャンプ傘のキットは、図２に示すように、傘骨体１Ａと付属部品とから構成される。傘骨体１Ａには傘布２０が取り付けられておらず、手元側の親骨外周が結束帯３０（図４参照）で締結されている。
傘骨体１Ａは、図１に示すように、中棒１に親骨２を連結した上ロクロ６と、受骨３を連結した中ロクロ７とバネ５を介して設けた下ロクロ８を中棒１に摺動可能に設け、中棒１の下端に手元１１を設けるとともに、その付近に下ハジキ９と押し釦１０を設けている。
【００１７】
結束帯３０は、ここでは、図４に示す合成樹脂製の電線を結束するのに使用する通常結束バンドと称するものを使用している。この結束帯３０は、ヘッド３１とバンド３２とテール３３とからなり、バンド３２にはセレーション３２ａが形成されている。
傘骨体１Ａの締結は、傘骨体１Ａの手元１１に近いあたりをバンド３２の部分を輪にしてテール３３をヘッド３１の差込口３１ａに挿入し締めつけることによっている。不要なテール３３部はハサミやニッパーで切断する。差込口３１ａには爪が付いており、セレーション３２が係止し、テールをヘッド３１から抜くことはできない。
【００１８】
付属部品は中棒１の先端に取り付けられる石突１２と、留め具１３と、傘布２０に縫い付けられる露先１４と、巻紐２３を傘布２０へ止めるボタン１５である。なお、巻紐２３を止めるボタン１５は、図示してないが、別にホックが付設されており、購入者の好みで、いずれかを使用できるようにしている。
また、キットには、図３（ａ）に示す傘布用の型紙２４と、制作するための説明書が添付されているが、図３（ｂ）に示す傘布２０、天丸２１，菊座２２は購入者が用意する。
【００１９】
次に、この自作用ジャンプ傘のキットを使用してオリジナルジャンプ傘を製作する作業について説明する。
先ず、キットの購入者は、添付されている製作の説明書を見て、キットに含まれているもの、自分で用意するもの、安全に製作するための事項を理解する。
次に、傘骨体１Ａ（図２（ａ）参照）を取出し、手元１１寄りの親骨２の外周が結束帯３０で締結されていることを確認する。
【００２０】
次に、布を用意し、型紙２４を用いて傘布２０を作る。ここでは、親骨２が８本のものを使用しているので、型紙２４と同寸法の２等辺三角形の傘布片を８個裁断し、ミシンで繋げて円状に作る。なお、柄のある布を使用する場合は、柄合わせをする場合の裁断図を作って、傘布片を裁断する。また、天丸２１や菊座２２、巻紐２３も傘布片と同じ布から裁断する。なお、傘の一部を透明にしたり、一部を蛍光色にすることも可能である。
巻紐２３は、一端を傘布２０に、他端にはボタン１５を縫い付ける。
【００２１】
次に、傘布２０に８本の露先１４を縫い付けて、傘骨体１Ａに取り付ける。この作業は、傘骨体１Ａが結束帯３０によって締結された傘が閉じられた状態のままで行う。
先ず、中棒１の上端に天丸２１を通し、その上に傘布２０の中心部を通し、その上から菊座２２を通し、留め具１３を糊付けする。さらに、その上に石突１２を取り付ける。
続いて、傘布２０に縫い付けられた露先１４を親骨２の先端に嵌め込むが、この作業は傘を閉じた状態なので、傘布２０の傘布片の縫い目のどれと親骨２のどれとを合わせればよいかを探す必要がある。この作業は、傘布２０を捲って、傘布２０の内側から見て、傘布片のつなぎ目の一つと、これと合う位置の親骨２を探し、先端の露先１４を嵌着すれば、最初の位置が決まるので、後はその隣、次の隣と順次取りつければよい。
【００２２】
８本の親骨２全てに露先１４を取り付けたら、傘布２０の裾の一部を捲って、ハサミで結束帯３０を切断する。そして、次に、周りに人がいないことを確認して、押し釦１０を押して傘を拡開する。そして、傘布２０を親骨２との留め位置で縫い付けて固定する。以上の作業で、オリジナルジャンプ傘は完成する。
傘布２０が傘骨体１Ａに取り付けられた状態では、押し釦１０が不用意に押されても急には拡開しないが、さらに、安全を望む場合は、結束帯３０を切断する前に、傘布２０の巻紐２３を傘布２０に巻き付けてボタン１５で止めるとよい。
【符号の説明】
【００２３】
１Ａ  傘骨体
１  中棒
２  親骨
３  受骨
４  引棒
５  バネ
６  上ロクロ
７  中ロクロ
８  下ロクロ
９  下ハジキ
１０  押し釦
１１  手元
１２  石突
１３  留め具
１４  露先
１５  ボタン
２０  傘布
２１  天丸
２２  菊座
２３  巻紐
２４  型紙
３０  結束帯
３１  ヘッド
３２  バンド
３２ａ  セレーション
３３  テール
【図１】
0003223655.tif 000003
【図２】
0003223655.tif 000004
【図３】
0003223655.tif 000005
【図４】
0003223655.tif 000006
【図５】
0003223655.tif 000007